(57)【要約】【課題】既存の内線網を変更せずに、また既存の汎用ＳＩＰサーバを用いて、携帯端末と内線固定電話端末間の内線通話を実現することができる内線通話方法を得ること。【解決手段】ＭＳ＃１が内線通話を行う場合に、ＭＳ＃１と無線接続するＢＴＳ＃１と、その内線通話の通話相手の内線固定電話と、の間の内線網内でのコネクションを設定するステップ（Ｓ１１〜Ｓ１４）と、移動体ネットワーク内で、ＢＴＳ＃１とＭＳ＃１と間の無線リンクを設定するステップ（Ｓ１５〜Ｓ２５）と、前記無線リンクと前記コネクションを接続することによりＭＳ＃１と内線固定電話との間の内線通話の通話伝送路を設定するステップ（Ｓ３０，Ｓ３１）と、を含む。【選択図】図２
2011166369.tif 000002
【特許請求の範囲】
【請求項１】
固定内線端末と前記固定内線端末間の内線通話のための呼制御を行う呼制御サーバとを備える内線網と、移動体ネットワークにおける基地局として機能し、前記内線網と接続する基地局装置と、前記基地局装置と無線接続し、内線番号を割当てられた携帯電話端末と、を備える通信システムにおける内線通話方法であって、
前記携帯電話端末が内線通話を行う場合に、前記内線網内で、その携帯電話端末と無線接続する基地局装置である収容基地局装置と、その内線通話の通話相手の前記固定内線端末である通話固定端末と、の間のコネクションを設定する内線網内コネクション設定ステップと、
前記移動体ネットワーク内で、前記収容基地局装置とその内線通話を行う前記携帯電話端末である通話携帯端末と間の無線リンクを設定する無線リンク設定ステップと、
前記無線リンクと前記コネクションを接続することにより前記通話携帯端末と通話固定端末との間の内線通話の通話伝送路を設定する通話伝送路設定ステップと、
を含むことを特徴とする内線通話方法。
【請求項２】
前記基地局装置のうちの１台である代理装置が、前記移動体ネットワーク内で前記通話固定端末の代理として動作することにより、前記通話伝送路設定ステップを実施する、
ことを特徴とする請求項１に記載の内線通話方法。
【請求項３】
前記移動体ネットワークは、移動通信交換局装置を備えることとし、
前記内線網内コネクション設定ステップは、
前記呼制御サーバが、前記携帯電話端末ごとにその携帯電話端末と接続中の前記基地局装置を位置情報として保持する携帯端末位置情報保持ステップと、
前記呼制御サーバが、前記通話固定端末から前記通話携帯端末の内線番号を宛先とする発信要求を受信した場合に、前記位置情報に基づいて前記通話携帯端末と接続する前記基地局装置を求め、求めた前記基地局装置を前記収容基地局装置とし、前記収容基地局装置へ前記発信要求を転送する発信要求転送ステップと、
前記収容基地局装置が、前記内線網内で、前記コネクションを設定する基地局コネクション設定ステップと、
を含み、
前記無線リンク設定ステップでは、
前記収容基地局装置が、前記発信要求を受信した場合に、前記代理装置として前記移動通信交換局装置へ前記通話携帯端末への接続要求を行い、
その接続要求に基づいて前記移動体ネットワーク内で前記無線リンクを設定する、
ことを特徴とする請求項２に記載の内線通話方法。
【請求項４】
前記移動体ネットワークは、移動通信交換局装置を備えることとし、
前記無線リンク設定ステップは、
前記移動通信交換局装置が、あらかじめ定めた、前記内線固定端末とその内線固定端末への着信時にその内線固定端末の代理装置として動作する前記基地局装置である着信側代理装置との対応を代理装置情報として保持する代理装置情報保持ステップと、
前記移動通信交換局装置が、前記通話携帯端末から前記通話固定端末に対する発信要求を受信した場合に、前記代理装置情報に基づいて前記通話固定端末に対応する着信側代理装置を決定し、決定した着信側代理装置へ、前記通話固定端末の代理として動作するよう指示する代理指示ステップと、
前記着信側代理装置が前記通話固定端末の代理として動作することにより、前記移動体ネットワーク内で前記無線リンクを設定する代理動作ステップと、
を含み、
前記内線網内コネクション設定ステップは、
前記移動通信交換局装置が、前記発信要求の送信元の前記通話携帯端末に接続する前記基地局装置を前記収容基地局装置とし、前記収容基地局装置へ前記コネクションの設定を指示するコネクション設定指示ステップと、
前記収容基地局装置が、前記コネクション設定指示ステップの指示に基づいて、前記コネクションを設定する発信時コネクション設定ステップと、
を含む、
ことを特徴とする請求項２または３に記載の内線通話方法。
【請求項５】
前記コネクション設定指示ステップでは、前記移動通信交換局装置が、前記収容基地局装置へ発信側として呼制御手順を実施するよう指示する発信側Ｌｏｃａｌ  Ｃａｌｌ  Ｓｅｔメッセージを送信し、かつ前記着信側代理装置へ着信側として呼制御手順を実施するよう指示する着信側Ｌｏｃａｌ  Ｃａｌｌ  Ｓｅｔメッセージを送信することにより、前記コネクションの設定を指示する、
ことを特徴とする請求項４に記載の内線通話方法。
【請求項６】
前記通話伝送路設定ステップの実施後、前記無線リンク設定ステップで前記無線リンクの設定時に用いた前記移動体ネットワーク内の有線伝送路を解放する有線伝送路解放ステップ、
をさらに含むことを特徴とする請求項３、４または５に記載の内線通話方法。
【請求項７】
前記移動通信交換局装置が、前記携帯電話端末から前記移動体ネットワーク内での位置登録要求を受信した場合に、その携帯電話端末に接続する前記無線基地局装置へ、その携帯電話端末の識別情報とその携帯電話端末に割当てられている内線番号とを通知する位置情報通知指示ステップと、
前記無線基地局装置が、受信した前記登録情報に基づいて、通知された内線番号に基づく内線番号情報と、自身のアドレスと、を格納した前記内線網内の呼制御手順に基づく位置登録メッセージを、前記呼制御サーバへ送信する内線網内位置登録ステップと、
を含むことを特徴とする請求項３〜６のいずれか１つに記載の内線通話方法。
【請求項８】
前記内線網内では、呼制御プロトコルとしてＳＩＰを用いる、
ことを特徴とする請求項１〜７のいずれか１つに記載の内線通話方法。
【請求項９】
前記コネクションをＶｏＩＰコネクションとする、
ことを特徴とする請求項１〜８のいずれか１つに記載の内線通話方法。
【請求項１０】
前記移動体ネットワークを３ＧＰＰに準拠した３ＧＰＰネットワークとする、
ことを特徴とする請求項１〜９のいずれか１つに記載の内線通話方法。
【請求項１１】
固定内線端末と前記固定内線端末間の内線通話のための呼制御を行う呼制御サーバとを備える内線網と、移動体ネットワークにおける基地局として機能し、前記内線網と接続する基地局装置と、前記基地局装置と無線接続し、内線番号を割当てられた携帯電話端末と、を備える通信システムであって、
前記携帯電話端末が内線通話を行う場合に、前記内線網内で、その携帯電話端末と無線接続する基地局装置である収容基地局装置と、その内線通話の通話相手の前記固定内線端末である通話固定端末と、の間のコネクションを設定し、
前記移動体ネットワーク内で、前記収容基地局装置とその内線通話を行う前記携帯電話端末である通話携帯端末と間の無線リンクを設定し、
前記無線リンクと前記コネクションを接続することにより前記通話携帯端末と通話固定端末との間の内線通話の通話伝送路を設定する、
ことを特徴とする通信システム。
【発明の詳細な説明】
【技術分野】
【０００１】
本発明は、携帯端末と内線固定電話端末間の内線番号による通話を可能とする内線通話方法および通信システムに関する。
【背景技術】
【０００２】
従来、携帯端末と内線固定電話端末間の内線番号による通話を行なうために、たとえば、下記特許文献１に記載の通信システムのように、一般ユーザの事業所毎に配置された内線呼制御装置（下記特許文献１ではＣＡ：Ｃａｌｌ  Ａｇｅｎｔとして記載）を用いている。そして、内線呼制御装置が、事業所内の内線固定電話端末から受信した呼制御要求メッセージに設定された内線番号に基づいて、着信先事業所の内線呼制御装置に割当てられたＳＳ７（Ｓｉｇｎａｌｉｎｇ  Ｓｙｓｔｅｍ  Ｎｏ．７）呼制御要求メッセージを公衆携帯電話網（３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）や３ＧＰＰ２準拠の携帯電話通信システム）に送信することで、公衆携帯電話網で接続された他の事業所の携帯端末と内線固定電話間の内線通話を実現している。
【先行技術文献】
【特許文献】
【０００３】
【特許文献１】特開２００６−１９７１７５号公報
【発明の概要】
【発明が解決しようとする課題】
【０００４】
しかしながら、上記従来の携帯端末と内線固定電話端末間の内線通話技術によれば、内線呼制御装置（ＣＡ）が、携帯電話システムの加入者情報に直接アクセスするコアネットワークのＭＳＣ（Ｍｏｂｉｌｅ  Ｓｗｉｔｃｈｉｎｇ  Ｃｅｎｔｅｒ）やＢＳＣ（Ｂａｓｅ  Ｓｔａｔｉｏｎ  Ｃｅｎｔｅｒ）と直接接続する。したがって、内線呼制御装置は、携帯電話システムの運用者の管理下の装置として導入、管理される必要がある。
【０００５】
また、一般企業では、携帯端末を含まない通常の内線網を構築するために、一般的な汎用ＳＩＰ（Ｓｅｓｓｉｏｎ  Ｉｎｉｔｉａｔｉｏｎ  Ｐｒｏｔｏｃｏｌ）サーバを導入している場合がある。一方、上記従来の携帯端末と内線固定電話端末間の内線通話技術では、内線呼制御装置には、汎用ＳＩＰサーバの機能以外に、内線番号に基づいて、着信先事業所の内線呼制御装置に割当てられたＳＳ７呼制御要求メッセージを公衆携帯電話網（３ＧＰＰや３ＧＰＰ２準拠の携帯電話通信システム）に送信するというような一般的な汎用ＳＩＰサーバにはない機能や信号インタフェースが必要である。そのため、一般企業は、既に稼働中の自社内内線網で適用されている汎用ＳＩＰサーバをそのまま内線呼制御装置として用いることができない、という問題があった。また、既存の汎用ＳＩＰサーバをそのまま用いることができないため、内線網の構成を変更することになる、という問題があった。
【０００６】
本発明は、上記に鑑みてなされたものであって、構築済みの既存の内線網を変更せずに、また既存の汎用ＳＩＰサーバを用いて、携帯端末と内線固定電話端末間の内線通話を実現することができる内線通話方法および通信システムを得ることを目的とする。
【課題を解決するための手段】
【０００７】
上述した課題を解決し、目的を達成するために、本発明は、固定内線端末と前記固定内線端末間の内線通話のための呼制御を行う呼制御サーバとを備える内線網と、移動体ネットワークにおける基地局として機能し、前記内線網と接続する基地局装置と、前記基地局装置と無線接続し、内線番号を割当てられた携帯電話端末と、を備える通信システムにおける内線通話方法であって、前記携帯電話端末が内線通話を行う場合に、前記内線網内で、その携帯電話端末と無線接続する基地局装置である収容基地局装置と、その内線通話の通話相手の前記固定内線端末である通話固定端末と、の間のコネクションを設定する内線網内コネクション設定ステップと、前記移動体ネットワーク内で、前記収容基地局装置とその内線通話を行う前記携帯電話端末である通話携帯端末と間の無線リンクを設定する無線リンク設定ステップと、前記無線リンクと前記コネクションを接続することにより前記通話携帯端末と通話固定端末との間の内線通話の通話伝送路を設定する通話伝送路設定ステップと、を含むことを特徴とする。
【発明の効果】
【０００８】
本発明にかかる通信システムおよび内線通話方法は、内線固定電話から携帯電話端末へ内線通話をする場合に、呼制御サーバが、ＭＳ＃１が接続する無線基地局を識別して、内線網内の呼制御によりその無線基地局と内線固定電話との間のＶｏＩＰコネクションを設定し、ＢＴＳ＃１が、内線固定電話２３−１の代理３Ｇ端末として、携帯電話オペレータ網１とＭＳ＃１との間の無線リンクを設定し、また、その無線基地局が携帯電話網内で設定した回線交換用無線リンクコネクションとそのＶｏＩＰコネクションとを接続するようにしたので、構築済みの既存の内線網を変更せずに、また既存の汎用ＳＩＰサーバを用いて、携帯端末と内線固定電話端末間の内線通話を実現することができる、という効果を奏する。
【図面の簡単な説明】
【０００９】
【図１】図１は、実施の形態１の通信システムの構成例を示す図である。
【図２】図２は、内線固定電話から携帯電話端末への内線番号を用いた通話発信を行なう場合の処理手順の一例を示すチャート図である。
【図３】図３は、実施の形態２の通信システムの内線通話方法の一例を示すチャート図である。
【図４】図４は、実施の形態３の通信システムの位置登録手順の一例を示すチャート図である。
【発明を実施するための形態】
【００１０】
以下に、本発明にかかる内線通話方法および通信システムの実施の形態を図面に基づいて詳細に説明する。なお、この実施の形態によりこの発明が限定されるものではない。
【００１１】
実施の形態１．
図１は、本発明にかかる通信システムの実施の形態１の構成例を示す図である。図１に示すように、本実施の形態の通信システムは、携帯電話オペレータ網１と、企業内施設内線電話網２と、携帯電話端末（Ｍｏｂｉｌｅ  Ｓｔａｔｉｏｎ：ＭＳ）３−１，３−２と、で構成される。なお、ここでは、携帯電話端末の数を２台としているが、携帯電話端末の数はこれに限らず何台としてもよい。
【００１２】
携帯電話オペレータ網１は、携帯電話システムの運用者等が管理する回線交換方式の無線ネットワークであり、ここでは３ＧＰＰに準拠したネットワークとする。携帯電話オペレータ網１は、音声通話処理及び携帯電話端末３−１，３−２の位置、移動管理を行うＭＳＣ（Ｍｏｂｉｌｅ  Ｓｗｉｔｃｈｉｎｇ  Ｃｅｎｔｒｅ：移動通信交換局装置）１１と、携帯電話端末３−１，３−２との間の無線チャネルリンクの設定、制御を行い携帯電話端末と無線通信を行うＢＴＳ（Ｂａｓｅ  Ｔｒａｎｓｃｅｉｖｅｒ  Ｓｔａｔｉｏｎ：基地局装置）１２−１，１２−２と、ＢＴＳや無線リソースの管理、制御を行うＲＮＣ（Ｒａｄｉｏ  Ｎｅｔｗｏｒｋ  Ｃｏｎｔｒｏｌｌｅｒ）１３と、を備える。なお、携帯電話オペレータ網１が備えるＭＳＣ、ＢＴＳおよびＲＮＣの台数は、図１に示した台数に限らず、それぞれ何台としてもよい。
【００１３】
企業内私設内線網２は、ＶｏＩＰ（Ｖｏｉｃｅ  ｏｖｅｒ  Ｉｎｔｅｒｎｅｔ  Ｐｒｏｔｏｃｏｌ）通話のための呼制御を行なうプロトコルであるＳＩＰに基づく制御を行うＳＩＰサーバ（呼制御サーバ）２１と、ＶｏＩＰパケットの中継とメディアリソース割当を行なうＭＧＷ（Ｍｅｄｉａ  Ｇａｔｅ  Ｗａｙ）２２と、内線固定電話（内線固定端末）２３−１，２３−２と、ＢＴＳ１２−２と、で構成される。ＢＴＳ１２−２は、企業内私設内線網２の地域エリアに設置され、携帯電話オペレータ網１にも属するが、企業内私設内線網２にも接続し、ＳＩＰサーバ２１と接続可能である。なお、本実施の形態では、企業内私設内線網２の呼制御手順としてＳＩＰ手順を用いることとしたが、これに限らずどのような呼制御手順を用いてもよい。
【００１４】
企業内私設内線網２は、内線通話を行なうために企業が設置した私設内線網であり、ＢＴＳ１２−２と接続し、携帯電話オペレータ網１，ＢＴＳ１２−２と連携した動作を行なう以外は、従来の一般的な私設内線網と同様であり、携帯電話オペレータ網１，ＢＴＳ１２−２と連携しない場合は、内線固定電話間の通話のみを行なうネットワークシステムである。なお、企業内私設内線網２が備える内線固定電話およびＢＴＳの台数は、図１に示した台数に限らず、それぞれ何台としてもよい。
【００１５】
図１の例では、ＢＴＳ１２−１は、携帯電話オペレータ網１に属し、企業内私設内線網２には属さず、ＢＴＳ１２−２は、携帯電話オペレータ網１と企業内私設内線網２の両方に属している。このように、本実施の形態の内線通話を行なう際に用いるＢＴＳは、携帯電話オペレータ網１に属するＢＴＳの一部とするが、携帯電話オペレータ網１や企業内私設内線網２の規模によっては、携帯電話オペレータ網１に属するＢＴＳの全てが企業内私設内線網２にも属するようにしてもよい。
【００１６】
つぎに、本実施の形態の動作について説明する。図２は、内線固定電話２３−１，２３−２から携帯電話端末３−１，３−２への内線番号を用いた通話発信を行なう場合の処理手順の一例を示すチャート図である。図２では、内線固定電話２３−１が、携帯電話端末（ＭＳ）３−１（図２では、ＭＳ＃１とする）に対して通話発信を行なうとする。
【００１７】
まず、内線固定電話２３−１は、宛先ＵＲＬ（Ｕｎｉｆｏｒｍ  Ｒｅｓｏｕｒｃｅ  Ｌｏｃａｔｏｒ）としてＭＳ＃１の内線番号に基づくＵＲＬを指定したＳＩＰ  Ｉｎｖｉｔｅ（発呼要求）メッセージをＳＩＰサーバ２１へ送信する（ステップＳ１１）。なお、各内線固定電話は、内線番号に基づくＵＲＬの生成方法を保持しており、内線番号に基づいて、ＵＲＬを生成し、上記のＳＩＰ  Ｉｎｖｉｔｅメッセージの宛先ＵＲＬとする。
【００１８】
ＳＩＰサーバ２１は、ＭＳ＃１の内線番号に基づくＵＲＬに基づいて保持しているＲｅｇｉｓｔｅｒ登録情報から、ＭＳ＃１の位置情報として携帯端末ＭＳ＃１の収容先であるＢＴＳ＃１のＩＰアドレス等の情報を抽出し、ＢＴＳ＃１へＳＩＰ  Ｉｎｖｉｔｅメッセージを転送する（ステップＳ１２）。ＳＩＰサーバ２１は、各ＭＳの位置登録の際に取得したＭＳの内線番号に基づくＵＲＬと、そのＭＳが接続する（そのＭＳを収容する）ＢＴＳのＩＰアドレス等の位置情報と、を対応づけてＲｅｇｉｓｔｅｒ登録情報として保持している。ここでは、ＭＳ＃１はＢＴＳ＃１に収容されるとし、またＭＳ＃１は位置登録済みであるとする。
【００１９】
ＢＴＳ＃１は、ＳＩＰ  Ｉｎｖｉｔｅメッセージを受信すると、ＢＴＳ＃１と内線固定電話２３−１とＳＩＰサーバとの間で、一般的なＳＩＰ呼設定手順を実施し、またＢＴＳ＃１と、ＭＧＷと、内線固定電話２３−１と、間で一般かつ汎用的なＭＥＧＡＣＯ（ＭＥｄｉａ  ＧＡｔｅｗａｙ  Ｃｏｎｔｒｏｌ）プロトコル手順を実施し（ステップＳ１３）、ＢＴＳ＃１とＭＧＷ２２間、およびＭＧＷ２２と内線固定電話２３−１間でＶｏＩＰ（ＲＴＰ（Ｒｅａｌ−ｔｉｍｅ  Ｔｒａｎｓｐｏｒｔ  Ｐｒｏｔｏｃｏｌ））通信コネクションを設定する（ステップＳ１４）。
【００２０】
その後、ＢＴＳ＃１は、代理３Ｇ端末（３ＧＰＰに準拠した端末）機能（端末の代理として３ＧＰＰに準拠した処理を行う機能）により、内線固定電話２３−１の代理として、ＭＳ＃１の内線番号を着信先とする３Ｇ  ＣＣ（Ｃａｌｌ  Ｃｏｎｔｒｏｌ）手順のＳｅｔｕｐ（呼設定要求：発信要求）メッセージを、ＭＳＣ１１へ送信する（ステップＳ１５）。３Ｇ  ＣＣ手順は、３Ｇシステムの通話制御シグナリング手順である。なお、ＢＴＳ＃１は、ＭＳの内線番号とＭＳの内線番号に基づくＵＲＬと、の対応を把握しているとする。
【００２１】
ＭＳＣ１１は、３Ｇ  ＣＣ  Ｓｅｔｕｐメッセージを受信すると、応答として呼設定を受け付けたことを示す３Ｇ  ＣＣ  Ｐｒｏｃｅｄｕｒｅメッセージを返送する（ステップＳ１６）。そして、ＭＳＣ１１は、３３Ｇ  ＣＣ  Ｓｅｔｕｐメッセージの着信先の内線番号（ＭＳ＃１の内線番号）に基づいて、保持している加入者情報を参照し、その内線番号に対応する加入者番号であるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を特定し、特定したＩＭＳＩに基づいて、現在のＭＳ＃１の位置情報を取得する。なお、ＭＳＣ１１は、ＭＳごとに内線番号とＩＭＳＩと、の対応を加入者情報として保持する。また、ＭＳＣ１１は、各ＭＳの位置登録時に、位置情報としてＭＳの接続するＢＴＳ等の情報を把握し、ＭＳのＩＭＳＩごとの位置情報を保持しているとする。
【００２２】
ＭＳＣ１１は、現在のＭＳ＃１の位置情報に基づいて、ＭＳ＃１への着信処置を行いために、Ｐａｇｉｎｇ（着信通知）メッセージをＲＮＣ経由でＭＳ＃１が接続しているＢＴＳ＃１へ送信する（ステップＳ１７，Ｓ１８）。そして、ＭＳ＃１、ＲＮＣ１３およびＭＳ＃１との間で無線チャネルリンク設定手順を実施し（ステップＳ１７）、ＭＳ＃１とＢＴＳ＃１の無線チャネルのリソースを確保する。そして、ＭＳＣ１１は、３Ｇ  ＣＣ  ＳｅｔｕｐメッセージをＭＳ＃１へ送信し（ステップＳ１９）、ＭＳ＃１は応答として、３Ｇ  ＣＣ  Ｃｏｎｆｉｒｍｅｄメッセージと３Ｇ  ＣＣ  ＡｌｅｒｔｉｎｇメッセージをＭＳＣ１１へ送信する（ステップＳ２０，ステップＳ２１）。また、ＭＳＣ１１は、ＢＴＳ＃１へ３Ｇ  ＣＣ  Ａｌｅｒｔｉｎｇメッセージを送信する（ステップＳ２２）。
【００２３】
そして、ＭＳ＃１はＭＳＣ１１へ接続が確立したことを示す３Ｇ  ＣＣ  Ｃｏｎｎｅｃｔメッセージを送信し（ステップＳ２３）、ＭＳＣ１１はＢＴＳ＃１へ３Ｇ  ＣＣ  Ｃｏｎｎｅｃｔメッセージを送信する（ステップＳ２４）。以上により、ＭＳ＃１とＢＴＳ＃１間（無線リンク）と、ＢＴＳ＃１とＭＳＣ１１間と、の音声（Ｖｏｉｃｅ）の回線交換サービス用の通話伝送路の設定が完了する（ステップＳ２５）。
【００２４】
ＭＳＣ１１は、上記の通話伝送路の設定を行った呼が内線呼であるため、企業内私設内線網２内のコネクションと、ＭＳ＃１と携帯電話オペレータ網１との間で設定された無線リンクと、のコネクションを連携させる必要がある。そのため、ＭＳＣ１１は、ＢＴＳ＃１に対して設定された無線リンクの無線チャネル（音声チャネル）の識別子であるＲＡＢ  ＩＤ（Ｒａｄｉｏ  Ａｃｃｅｓｓ  Ｂｅａｒｅｒ  ＩＤｅｎｔｉｔｙ）と発着信内線番号（内線固定電話２３−１の内線番号とＭＳ＃１の内線番号）を指定した発信側の内線通話の設定を行うためのＬｏｃａｌ  Ｃａｌｌ  ＳｅｔメッセージをＲＮＣ１３へ送信する（ステップＳ２６）。
【００２５】
ＲＮＣ１３は、受信したＬｏｃａｌ  Ｃａｌｌ  Ｓｅｔメッセージに含まれるＲＡＢ  ＩＤに基づいて、ＢＴＳ＃１内で設定された当該の内線呼を行うための無線チャネル（音声チャネル）を特定し、受信したＬｏｃａｌ  Ｃａｌｌ  Ｓｅｔメッセージに特定した情報を格納して、ＢＴＳ＃１へ転送する（ステップＳ２７）。
【００２６】
同様に、ＭＳＣ１１は、ＢＴＳ＃１に対して設定された無線リンクの識別子であるＲＡＢ  ＩＤと発着信内線番号を指定した着信側の内線通話の設定を行うためのＬｏｃａｌ  Ｃａｌｌ  ＳｅｔメッセージをＲＮＣ１３へ送信する（ステップＳ２８）。ＲＮＣ１３は、受信したＬｏｃａｌ  Ｃａｌｌ  Ｓｅｔメッセージに含まれるＲＡＢ  ＩＤに基づいて、ＢＴＳ＃１内で設定された当該の内線呼を行うための無線チャネル（音声チャネル）を特定し、受信したＬｏｃａｌ  Ｃａｌｌ  Ｓｅｔメッセージに特定した情報を格納して、ＢＴＳ＃１へ転送する（ステップＳ２９）。
【００２７】
ＢＴＳ＃１は、受信したＬｏｃａｌ  Ｃａｌｌ  Ｓｅｔメッセージ通知に含まれる音声チャネルに対応したＲＴＰ（ＶｏＩＰ）コネクション設定済（ステップＳ１３，ステップＳ１４）のため、新たなＳＩＰ呼設定を行なわず、ＣＳ（Ｃｉｒｃｕｉｔ  Ｓｗｉｔｃｈｉｎｇ：回線交換）用の音声チャネルである無線リンク（ＭＳ＃１とＢＴＳ＃１間）のリンク接続先を、設定済のＶｏＩＰコネクションに切替える（ステップＳ３０）。これにより、ステップＳ１４で設定されたコネクションと、ＭＳ＃１とＢＴＳ＃１間のリンクが、対応づけられ、ＭＳ＃１と内線固定電話２３−１間の通話経路が設定される（ステップＳ３１）。そして、ＭＳ＃１と内線固定電話２３−１間の通話を開始することができる。
【００２８】
その後、ＢＴＳ＃１から該当の音声チャネルを指定したＬｏｃａｌ  Ｃａｌｌ  Ｓｅｔ  ＣｏｍｐｌｅｔｅメッセージをＲＮＣ１３へ送信する（ステップＳ３２）。ＲＮＣ１３では、ステップＳ２９と逆に、無線チャネル（音声チャネル）から該当するＲＡＢ  ＩＤを特定し、受信したＬｏｃａｌ  Ｃａｌｌ  Ｓｅｔ  Ｃｏｍｐｌｅｔｅメッセージに特定した情報を設定して、ＭＳＣ１１へ送信する（ステップＳ３３）。その後、ＢＴＳ＃１、ＲＮＣ１３およびＭＳＣ１１は、その音声チャネルに対応したＢＴＳ＃１、ＲＮＣ１３、ＭＳＣ１１間の（ＢＴＳ＃１とＲＮＣ間、およびＲＮＣ１３とＭＳＣ１１間、ＢＴＳ＃１とＭＳＣ１１間）の有線伝送路コネクションを解放する（ステップＳ３４）。
【００２９】
なお、本実施の形態では、携帯電話オペレータ網１が３ＧＰＰに準拠している場合を例に説明したが、これに限らず、携帯電話オペレータ網１が他の通信方式を採用する場合にも適用できる。この場合、ＢＴＳ＃１が、固定内線電話２３−１の代理としてその通信方式により携帯電話オペレータ網１内で、ＭＳ＃１への無線リンクを設定するようにすればよい。また、携帯電話オペレータ網１内および企業内施設内線電話網２の呼制御の手順としては、上述の手順を用いずに、他の呼制御の手順を用いてもよい。
【００３０】
このように、本実施の形態では、企業内施設内線電話網２の内線固定電話２３−１からＭＳ＃１へ内線通話をする場合に、ＳＩＰサーバ２１が、ＭＳ＃１が接続するＢＴＳ＃１を識別して、内線固定電話２３−１から受信したＳＩＰ  ＩｎｖｉｔｅメッセージをＢＴＳ＃１へ転送し、ＢＴＳ＃１が内線固定電話２３−１との間の音声用のコネクションを設定する。そして、ＢＴＳ＃１が、内線固定電話２３−１の代理３Ｇ端末として、携帯電話オペレータ網１とＭＳ＃１との間の無線リンクを設定し、設定した無線リンクと内線固定電話２３−１との間の音声用のコネクションとを対応付けるようにした。そのため、構築済みの既存の内線網を変更せずに、また既存の汎用ＳＩＰサーバを用いて、携帯端末と内線固定電話端末間の内線通話を実現することができる。
【００３１】
実施の形態２．
図３は、本発明にかかる通信システムの実施の形態２の内線通話方法の一例を示すチャート図である。本実施の形態の通信システムの構成は、実施の形態１と同様である。以下、実施の形態１と異なる部分を説明する。
【００３２】
実施の形態１では、内線固定電話２３−１から携帯端末ＭＳ＃１へ発信される場合について説明したが、本実施の形態では、携帯端末ＭＳ＃１から内線固定電話２３−１に発信する場合を説明する。まず、携帯端末ＭＳ＃１は、内線固定電話２３−１の内線番号を指定したＣＣ  Ｓｅｔｕｐ（発信要求）メッセージを送信する（ステップＳ４１）。
【００３３】
ＭＳＣ１１は、ＭＳ＃１から送信されたＣＣ  Ｓｅｔｕｐ（発信要求）メッセージを受信すると、そのメッセージに含まれる着信先番号が、予め決められた内線番号を示す番号体系である、または別の手段にて内線固定電話の内線番号であるか否かを判断する。ＭＳＣ１１は、着信先番号が、内線固定電話の内線番号であると判断した場合、予め定めておいたその番号の収容先のＢＴＳに割当てられた端末識別子（ＩＭＳＩ）を宛先として用いて、ＲＮＣ１３経由で収容先のＢＴＳへＰａｇｉｎｇ（着信通知）メッセージを送信する（ステップＳ４２）。
【００３４】
なお、企業内施設内線電話網２の内線固定電話ごとに、その内線固定電話を収容するＢＴＳを割当てておくこととし、ＭＳＣ１１は、内線固定電話の内線番号と対応するＢＴＳのＩＭＳＩとの対応を保持しているとする。ここでは、ＢＴＳ＃２が、内線固定電話２３−１を収容するＢＴＳとして割当られていたとし、ＭＳＣ１１は、ＢＴＳ＃２のＩＭＳＩを宛先としたＰａｇｉｎｇメッセージを送信する。なお、ＢＴＳ＃２は、実施の形態１で述べたＢＴＳ＃１と同様、企業内施設内線電話網２と携帯電話オペレータ網１の両方に接続しているとする。
【００３５】
ＢＴＳ＃２は、受信したＰａｇｉｎｇメッセージが、自ＢＴＳのＩＭＳＩを宛先としているため、着信先の内線固定電話２３−１の代理３Ｇ端末として着信処理を行うと判断する（ステップＳ４３）。その後、ＭＳＣ１１がＭＳ＃１へＣＣ  Ｃａｌｌ  Ｐｒｏｃメッセージを送信する（ステップＳ４４）。また、ＭＳＣ１１が内線固定電話２３−１の内線番号を宛先としたＣＣ  ＳｅｔｕｐメッセージをＢＴＳ＃２へ送信し（ステップＳ４５）、ＢＴＳ＃２がその応答としてＣＣ  Ｃｏｎｆｉｒｍｅｄメッセージを送信する（ステップＳ４６）。その後、ＢＴＳ＃２は、ＣＣ  Ａｌｅｒｔｉｇメッセージを送信し、ＭＳＣ１１がそのＣＣ  ＡｌｅｒｔｉｇメッセージをＭＳ＃１へ転送する（ステップＳ４７）。また、ＢＴＳ＃２は、ＣＣ  Ｃｏｎｎｅｃｔメッセージを送信し、ＭＳＣ１１がそのＣＣ  ＣｏｎｎｅｃｔメッセージをＭＳ＃１へ転送する（ステップＳ４８）。
【００３６】
また、ステップＳ４８までの間に、ＭＳ＃１と、ＲＮＣ１３と、ＭＳ＃１を収容するＢＴＳ＃１と、の間で無線チャネルリンク設定手順を実施し、ＭＳ＃１とＢＴＳ＃１間の無線チャネルリンクと、ＢＴＳ＃１とＭＳＣ１１間の通話伝送路の設定を行う。これにより、ＭＳ＃１とＢＴＳ＃１間の無線チャネルリンクと、ＢＴＳ＃１とＭＳＣ１１間の通話伝送路と、ＢＴＳ＃２とＭＳＣ１１間の通話伝送路と、が音声通話用の回線交換（ＣＳ）サービスの通話伝送路として設定される（ステップＳ４９）。
【００３７】
ＭＳＣ１１は、上記の通話伝送路の設定を行った呼が内線呼であるため、内線網内のＶｏＩＰコネクション設定と設定されたＭＳ＃１、ＢＴＳ＃１間の無線チャネルリンクの接続先リンクを切替えるために、ＢＴＳ＃１、ＢＴＳ＃２に対してそれぞれＬｏｃａｌ  Ｃａｌｌ  ＳｅｔメッセージをＲＮＣ１３経由で送信する（ステップＳ５０〜５３）。この際、ＢＴＳ＃１には発信側と設定したＬｏｃａｌ  Ｃａｌｌ  Ｓｅｔメッセージを送信し、ＢＴＳ＃２には着信側と設定したＬｏｃａｌ  Ｃａｌｌ  Ｓｅｔメッセージを送信する。ＲＮＣ１３は、Ｌｏｃａｌ  Ｃａｌｌ  ＳｅｔメッセージをＢＴＳ＃１、ＢＴＳ＃２にそれぞれ転送する際に、ＲＡＢ  ＩＤに基づいて、それぞれのＢＴＳ内で設定された当該の内線呼を行うための無線チャネル（音声チャネル）を特定し、受信したＬｏｃａｌ  Ｃａｌｌ  Ｓｅｔメッセージに特定した情報を格納して転送する。
【００３８】
ＢＴＳ＃１では、受信したＬｏｃａｌ  Ｃａｌｌ  Ｓｅｔメッセージが発信側と設定されているため、そのメッセージに設定されている着信先（内線固定電話２３−１）の内線番号に基づく宛先ＵＲＬを設定したＳＩＰ  ＩｎｖｉｔｅメッセージをＳＩＰサーバ２１に向けて送信する（ステップＳ５４）。一方、ＢＴＳ＃２では、受信したＬｏｃａｌ  Ｃａｌｌ  Ｓｅｔメッセージが着信側と設定されているため、自らＳＩＰ  Ｉｎｖｉｔｅメッセージを送信せずＳＩＰ  Ｉｎｖｉｔｅメッセージの着信を待つ。
【００３９】
ＢＴＳ＃１からＳＩＰ  Ｉｎｖｉｔｅメッセージを受信したＳＩＰサーバ２１は、メッセージに設定された宛先ＵＲＬに基づいて、Ｒｅｇｉｓｔｅｒ登録情報から宛先の内線固定電話２３−１の位置情報を取得する（ステップＳ５５）。なお、ＳＩＰサーバ２１は、内線固定電話の内線番号に基づくＵＲＬと位置情報（固定電話のＩＰアドレス等）とをＲｅｇｉｓｔｅｒ登録情報として保持しているとする。そして、ＳＩＰサーバ２１は、取得した位置情報に基づいて、内線固定電話２３−１へＳＩＰ  Ｉｎｖｉｔｅメッセージを転送する（ステップＳ５６）。
【００４０】
その後、ＢＴＳ＃１と、内線固定電話２３−１と、ＳＩＰサーバ２１と、の間で一般的なＳＩＰ呼設定手順が実施され、またＢＴＳ＃１と、ＭＧＷ２２と、内線固定電話２３−１と、の間で一般かつ汎用的なＭＥＧＡＣＯプロトコル手順が実施され、ＢＴＳ＃１とＭＧＷ２２の間、内線固定電話２３−１とＭＧＷ２２の間でＶｏＩＰ（ＲＴＰ）通信コネクションを設定する（ステップＳ５７）。
【００４１】
ステップＳ５７のＶｏＩＰコネクションの設定後、ＢＴＳ＃１は、ＭＳ＃１との間の無線チャネル（音声チャネル）のリンク接続先を、そのＶｏＩＰコネクションに切替え（ステップＳ５８）、これによりＭＳ＃１、内線固定電話２３−１間の通話経路が設定される（ステップＳ５９）。これ以降、ＭＳ＃１と内線固定電話２３−１間の通話を開始することができる。
【００４２】
その後、ＢＴＳ＃１およびＢＴＳ＃２は、該当の無線チャネルを指定したＬｏｃａｌ  Ｃａｌｌ  Ｓｅｔ  ＣｏｍｐｌｅｔｅメッセージをＲＮＣ１３へ送信し（ステップＳ６０，Ｓ６２）、ＲＮＣ１３は、無線チャネルに基づいて該当するＲＡＢ  ＩＤを特定し、特定した情報を設定してＬｏｃａｌ  Ｃａｌｌ  Ｓｅｔ  ＣｏｍｐｌｅｔｅメッセージをＭＳＣ１１へ転送する（ステップＳ６１，Ｓ６３）。
【００４３】
その後、ＢＴＳ＃１、ＢＴＳ＃２、ＲＮＣ１３およびＭＳＣ１１では、当該無線チャネルに対応したＢＴＳ＃１−ＲＮＣ１３−ＭＳＣ１１間とＢＴＳ＃１−ＲＮＣ１３−ＭＳＣ１１間の有線伝送路コネクションを解放する（ステップＳ６４）。以上述べた以外の本実施の形態の動作は、実施の形態１と同様である。
【００４４】
このように、本実施の形態では、ＭＳ＃１から企業内施設内線電話網２の内線固定電話２３−１へ内線通話をする場合に、ＳＩＰサーバ２１が、内線固定電話２３−１に割当てたＢＴＳ＃２へＰａｇｉｎｇメッセージを送信し、ＢＴＳ＃２が内線固定電話２３−１の代理３Ｇ端末として機能して、ＢＴＳ＃２とＭＳＣ１１間の回線交換サービス用の通話伝送路を設定するようにした。そして、ＢＴＳ＃１とＭＧＷ２２の間、内線固定電話２３−１とＭＧＷ２２の間でＶｏＩＰ通信コネクションを設定し、回線交換サービス用のＢＴＳ＃１とＭＳ＃１の無線リンクの接続先を、設定したＶｏＩＰ通信コネクションに切替えるようにした。そのため、構築済みの既存の内線網を変更せずに、また既存の汎用ＳＩＰサーバを用いて、携帯端末と内線固定電話端末間の内線通話を実現することができる。
【００４５】
実施の形態３．
図４は、本発明にかかる通信システムの実施の形態３の位置登録手順の一例を示すチャート図である。本実施の形態の通信システムの構成は、実施の形態１と同様である。以下、実施の形態１と異なる部分を説明する。
【００４６】
図４は、ＭＳ＃１の位置情報を企業内施設内線電話網２のＳＩＰサーバ２１に登録する際の位置登録手順の一例を示している。ＭＳ＃１は、自身の端末識別子（ＩＭＳＩ等）を設定した位置登録を要求するためのＡｔｔａｃｈ  Ｒｅｑｕｅｓｔメッセージを自身がその通信エリアに位置するＢＴＳ＃１経由でＭＳＣ１１へ送信する（ステップＳ７１）。ＭＳＣ１１は、Ａｔｔａｃｈ  Ｒｅｑｕｅｓｔメッセージを受信すると、ＭＳ＃１の認証秘匿手順を実施する（ステップＳ７２）。
【００４７】
そして、ＭＳＣ１１は、Ａｔｔａｃｈ  Ｒｅｑｕｅｓｔメッセージに設定されている端末識別子に基づいて、契約情報を参照してＭＳ＃１が内線契約端末であると判断し、その携帯電話端末（ＭＳ＃１）のＩＭＳＩと内線番号を通知するためのＲｅｇｉｓｔｅｒ  Ｉｎｄｉｃａｔｉｏｎメッセージを生成する（ステップＳ７３）。なお、ＭＳＣ１１は、契約情報として、携帯電話端末ごとに、内線契約端末であるか否かの情報と、内線契約端末である場合にはその内線番号と、を保持しているとする。ＭＳＣ１１は、Ｒｅｇｉｓｔｅｒ  ＩｎｄｉｃａｔｉｏｎメッセージをＲＮＣ１３経由でＭＳ＃１が接続するＢＴＳ＃１へ、送信する（ステップＳ７４，ステップＳ７５）。
【００４８】
また、ＭＳＣ１１は、Ａｔｔａｃｈ  Ｒｅｑｕｅｓｔメッセージに対する応答としてＡｔｔａｃｈ  ＡｃｃｅｐｔメッセージをＭＳ＃１へ送信し（ステップＳ７６）、ＭＳ＃１は、さらにその応答としてＡｔｔａｃｈ  ＣｏｍｐｌｅｔｅメッセージをＭＳＣ１１へ送信する（ステップＳ７７）。
【００４９】
ＢＴＳ＃１は、Ｒｅｇｉｓｔｅｒ  Ｉｎｄｉｃａｔｉｏｎメッセージを受信すると、そのメッセージで通知された内線番号に基づくＵＲＬを生成し、そのＵＲＬとＢＴＳ＃１の位置情報であるＢＴＳ＃１のＩＰアドレスと、を設定したＳＩＰ  ＲｅｇｉｓｔｅｒメッセージをＳＩＰサーバ２１に送信する（ステップＳ７８）。ＳＩＰサーバ２１はＳＩＰ  Ｒｅｇｉｓｔｅｒメッセージを受信すると、そのメッセージに設定されているＭＳ＃１の内線番号に基づくＵＲＬと、その位置情報であるＢＴＳ＃１のＩＰアドレス情報と、をＲｅｇｉｓｔｅｒ登録情報に登録する（ステップＳ７９）。また、ＳＩＰサーバ２１は、受信したＳＩＰ  Ｒｅｇｉｓｔｅｒメッセージに対する応答としてＳＩＰ  ２００  ＯＫメッセージをＢＴＳ＃１へ送信する（ステップＳ８０）。
【００５０】
以上のように、３ＧＰＰのＡｔｔａｃｈ手順の実行に伴ってＳＩＰ  Ｒｅｇｉｓｔｅｒ手順を実施することで、ＳＩＰサーバ２１にＭＳ＃１の収容先であるＢＴＳ＃１の位置情報を登録することができる。以上述べた以外の本実施の形態の動作は、実施の形態１または実施の形態２と同様である。
【００５１】
このように、本実施の形態では、ＭＳ＃１の３ＧＰＰのＡｔｔａｃｈ手順を実行する際に、ＭＳＣ１１は、ＳＩＰサーバに、ＭＳ＃１内線番号に基づくＵＲＬとＢＴＳ＃１の位置情報であるＢＴＳ＃１のＩＰアドレスと、を設定したＳＩＰ  ＲｅｇｉｓｔｅｒメッセージをＳＩＰサーバ２１に送信することによりＳＩＰサーバにＭＳ＃１の位置情報としてＢＴＳ＃１のＩＰアドレスを登録することができる。そのため、実施の形態１と同様の効果が得られるとともに、ＭＳ＃１についてのＳＩＰサーバ２１への登録を標準の手順を活用して、速やかに実施することができる。
【産業上の利用可能性】
【００５２】
以上のように、本発明にかかる内線通話方法および通信システムは、携帯端末と内線固定電話端末間の内線番号による通話を行う通信システムに有用であり、特に、ＳＩＰサーバを用いた内線網が既に設置されている場合に適している。
【符号の説明】
【００５３】
１  携帯電話オペレータ網
２  企業内施設内線電話網
３，３−１，３−２  携帯電話端末
１１  ＭＳＣ
１２−１，１２−２  ＢＴＳ
１３  ＲＮＣ
２１  ＳＩＰサーバ
２２  ＭＧＷ
２３−１，２３−２  内線固定電話
【図１】
2011166369.tif 000003
【図２】
2011166369.tif 000004
【図３】
2011166369.tif 000005
【図４】
2011166369.tif 000006